(57)【要約】【課題】表示された複数の選択肢の中から選択対象となる対象選択肢をユーザが容易に認識し得る表示装置、電子機器、表示装置の制御方法およびそのプログラムを提供することを課題とする。【解決手段】１以上の文字によって表現される選択肢Ｃを、複数表示可能なディスプレイ２１を備え、選択対象となる対象選択肢４１の一部の文字である抽出文字を、当該対象選択肢４１の他の文字とは異なる態様（拡大表示や吹き出し表示など）で強調表示５１する。【選択図】図２
2008176035.tif 000002
【特許請求の範囲】
【請求項１】
１以上の文字によって表現される選択肢を複数表示可能な表示手段と、
前記表示手段の表示制御を行う表示制御手段と、を備え、
前記表示制御手段は、選択対象となる対象選択肢の一部の文字である抽出文字を、当該対象選択肢の他の文字とは異なる態様で強調表示することを特徴とする表示装置。
【請求項２】
前記表示手段は、前記複数の選択肢を、スクロール表示により表示可能であり、
前記表示制御手段は、前記スクロール表示中において、前記抽出文字を強調表示することを特徴とする請求項１に記載の表示装置。
【請求項３】
前記抽出文字は、前記対象選択肢の先頭から１ないし数文字に相当することを特徴とする請求項１に記載の表示装置。
【請求項４】
前記表示制御手段は、前記対象選択肢の前記抽出文字を、前記他の文字と同様の態様で通常表示した状態で、さらに前記強調表示することを特徴とする請求項１に記載の表示装置。
【請求項５】
前記表示制御手段は、前記対象選択肢を、他の選択肢とは異なる態様で表示することを特徴とする請求項１に記載の表示装置。
【請求項６】
前記表示制御手段は、前記対象選択肢の表示領域に重畳して、前記抽出文字を前記強調表示することを特徴とする請求項１に記載の表示装置。
【請求項７】
前記強調表示とは、前記抽出文字を、吹き出し表示すること、前記他の文字よりも大きく表示すること、前記他の文字と異なる色で表示すること、反転表示すること、および文字装飾を施すこと、のいずれかまたは１以上の組み合わせを指すことを特徴とする請求項１に記載の表示装置。
【請求項８】
請求項１に記載の表示装置における各手段と、
前記選択肢の選択操作を行うための操作手段と、を備え、
前記対象選択肢は、前記操作手段のその時点における選択操作の対象となる選択肢であることを特徴とする電子機器。
【請求項９】
前記操作手段は、前記複数の選択肢をスクロール表示させるためのスクロール操作が可能であり、
前記表示制御手段は、前記スクロール操作の停止時または当該停止時から所定時間後に、前記強調表示を終了することを特徴とする請求項８に記載の電子機器。
【請求項１０】
前記表示制御手段は、前記強調表示をフェードアウトさせながら終了することを特徴とする請求項９に記載の電子機器。
【請求項１１】
前記強調表示を行うか否かを設定する表示設定手段をさらに備え、
前記表示制御手段は、前記表示設定手段により前記強調表示を行うと設定された場合のみ、前記抽出文字を前記強調表示することを特徴とする請求項８に記載の電子機器。
【請求項１２】
前記強調表示の表示態様を、複数の候補の中から選択する表示態様選択手段をさらに備え、
前記表示制御手段は、前記表示態様選択手段により選択された表示態様で、前記抽出文字を前記強調表示することを特徴とする請求項８に記載の電子機器。
【請求項１３】
１以上の文字によって表現される選択肢を複数表示可能な表示装置の制御方法であって、
選択対象となる対象選択肢の一部の文字である抽出文字を、当該対象選択肢の他の文字とは異なる態様で強調表示することを特徴とする表示装置の制御方法。
【請求項１４】
コンピュータに、請求項１３に記載の表示装置の制御方法を実現させるためのプログラム。
【発明の詳細な説明】
【技術分野】
【０００１】
本発明は、複数の選択肢を表示させて所望の選択肢を検索可能な表示装置、電子機器、表示装置の制御方法およびそのプログラムに関するものである。
【背景技術】
【０００２】
１以上の文字によって表現される選択肢を複数表示させて所望の選択肢を検索するための方法として、例えば特許文献１に記載のものが知られている。特許文献１に記載の表示装置は、小さな文字が列記された選択肢の視認を容易にするため、選択肢の文字サイズに応じてスクロール表示のスクロール速度を可変制御することが記載されている。
【特許文献１】特開２００５−０１７６５１号公報
【発明の開示】
【発明が解決しようとする課題】
【０００３】
しかしながら、特許文献１に記載の発明では、選択肢の文字サイズが小さい場合、読み取り易さの観点からスクロール速度を比較的遅くするように制御されてしまうため、操作性が悪いといった問題がある。つまり、所望の選択肢を迅速に検索したい場合、高速スクロールさせて目安をつけた後、低速スクロールさせて選択するといった方法が効率的であるが、文字サイズによってスクロール速度が制限されるため、効率が悪くなってしまう。しかも近年は、小型の電子機器に大容量の記憶装置を搭載した携帯型の音楽プレーヤが出回っており、数千または数万を超える多数の楽曲リストをスクロール表示させて、所望の選択肢を選択するといった利用形態も多い。特に、このような音楽プレーヤの場合、楽曲名として英単語が列記されることも多く、小さな文字でできるだけ多くの選択肢を一画面上に表示させる傾向にある。このような背景において、小さな文字が列記された選択肢の視認性の向上並びに当該選択肢を選択操作するための操作性の向上が強く望まれている。
【０００４】
本発明は、上記の問題点に鑑み、表示された複数の選択肢の中から選択対象となる対象選択肢をユーザが容易に認識し得る表示装置、電子機器、表示装置の制御方法およびそのプログラムを提供することを目的とする。
【課題を解決するための手段】
【０００５】
本発明の表示装置は、１以上の文字によって表現される選択肢を複数表示可能な表示手段と、表示手段の表示制御を行う表示制御手段と、を備え、表示制御手段は、選択対象となる対象選択肢の一部の文字である抽出文字を、当該対象選択肢の他の文字とは異なる態様で強調表示することを特徴とする。
【０００６】
本発明の表示装置の制御方法は、１以上の文字によって表現される選択肢を複数表示可能な表示装置の制御方法であって、選択対象となる対象選択肢の一部の文字である抽出文字を、当該対象選択肢の他の文字とは異なる態様で強調表示することを特徴とする。
【０００７】
これらの構成によれば、選択対象となる対象選択肢の一部の文字（抽出文字）を強調表示するため、ユーザが選択肢を容易に認識することができる。また、これに伴って、目的の選択肢を検索し易くなるため、選択操作時における操作性の向上が期待できる。特に、高齢者など小さな文字を認識することが不得手なユーザにとって、本発明のように限られた表示領域内でも効率良く文字認識できる表示装置は大変便利である。
【０００８】
上記に記載の表示装置において、表示手段は、複数の選択肢を、スクロール表示により表示可能であり、表示制御手段は、スクロール表示中において、抽出文字を強調表示することが好ましい。
【０００９】
この構成によれば、スクロール表示中は高速に対象選択肢が入れ替わるため、迅速に目的の選択肢を検索できるものの、小さな文字の認識が困難であるといった問題点がある。しかしながら、本発明を適用することで、スクロール表示の文字認識が困難といったデメリットを解消することができ、高速検索可能というメリットを強調できるため、大容量データの検索にも便利である。
【００１０】
上記に記載の表示装置において、抽出文字は、対象選択肢の先頭から１ないし数文字に相当することが好ましい。
【００１１】
この構成によれば、複数の選択肢がアルファベット順やあいうえお順に羅列されている場合、対象選択肢の先頭から１ないし数文字を強調表示することで、現在の検索位置（どのあたりを検索しているのか）をユーザが容易に認識することができる。
【００１２】
上記に記載の表示装置において、表示制御手段は、対象選択肢の抽出文字を、他の文字と同様の態様で通常表示した状態で、さらに強調表示することが好ましい。
【００１３】
この構成によれば、抽出文字を強調表示することで、他の文字とのバランスが悪くなり、対象選択肢全体で見たときの視認性を損ねる可能性があるが、他の文字と同様の態様で通常表示も行うため、そのような欠点をカバーすることができる。つまり、対象選択肢全体の視認性を損ねることなく、ユーザに対し対象選択肢の一部の文字（抽出文字）を容易に認識させることができる。
【００１４】
上記に記載の表示装置において、表示制御手段は、対象選択肢を、他の選択肢とは異なる態様で表示することが好ましい。
【００１５】
この構成によれば、スクロール表示されている複数の選択肢の中から、対象選択肢（選択対象となる選択肢）をユーザに対して明確に示すことができる。
【００１６】
上記に記載の表示装置において、表示制御手段は、対象選択肢の表示領域に重畳して、抽出文字を強調表示することが好ましい。
【００１７】
この構成によれば、ユーザは対象選択肢の表示領域を中心に視認すれば良いため、視点を動かしたり視野を広く取ったりする必要がなく、選択操作に要するユーザの負担を軽減できる。
【００１８】
上記に記載の表示装置において、強調表示とは、抽出文字を、吹き出し表示すること、他の文字よりも大きく表示すること、他の文字と異なる色で表示すること、反転表示すること、および文字装飾を施すこと、のいずれかまたは１以上の組み合わせを指すことが好ましい。
【００１９】
この構成によれば、吹き出し表示、拡大表示、異色表示、反転表示および文字装飾のいずれかまたは１以上の組み合わせによって強調表示を行うことができる。
【００２０】
本発明の電子機器は、上記に記載の表示装置における各手段と、選択肢の選択操作を行うための操作手段と、を備え、対象選択肢は、操作手段のその時点における選択操作の対象となる選択肢であることを特徴とする。
【００２１】
この構成によれば、表示制御手段による制御によって目的の選択肢を選択し易くなるため、選択肢の検索時における操作性も向上させることができる。
【００２２】
上記に記載の電子機器において、操作手段は、複数の選択肢をスクロール表示させるためのスクロール操作が可能であり、表示制御手段は、スクロール操作の停止時または当該停止時から所定時間後に、強調表示を終了することが好ましい。
【００２３】
この構成によれば、スクロール操作の停止時、すなわち検索中止時または終了時においては、強調表示の必要がなくなるため（画面がスクロールしていない状況では対象選択肢の認識が容易であるため）、強調表示を自動終了することで、他の操作の妨げになったり、表示手段全体の視認性を損ねたりすることがない。
【００２４】
上記に記載の電子機器において、表示制御手段は、強調表示をフェードアウトさせながら終了することが好ましい。
【００２５】
この構成によれば、強調表示をフェードアウトさせることにより、ユーザに対して有機的な印象を与えることができる。
【００２６】
上記に記載の電子機器において、強調表示を行うか否かを設定する表示設定手段をさらに備え、表示制御手段は、表示設定手段により強調表示を行うと設定された場合のみ、抽出文字を強調表示することが好ましい。
【００２７】
この構成によれば、抽出文字の強調を好まないユーザにとって、好都合である。
【００２８】
上記に記載の電子機器において、強調表示の表示態様を、複数の候補の中から選択する表示態様選択手段をさらに備え、表示制御手段は、表示態様選択手段により選択された表示態様で、抽出文字を強調表示することが好ましい。
【００２９】
この構成によれば、ユーザの好みに応じて強調表示の表示態様（吹き出し表示、拡大表示、異色表示、反転表示、文字装飾、インデックス形式など）を選択することができる。
【００３０】
本発明のプログラムは、コンピュータに、上記に記載の表示装置の制御方法を実現させるためのものであることを特徴とする。
【００３１】
このプログラムを用いることにより、選択対象となる対象選択肢の認識および当該選択肢の選択操作をユーザが容易に行い得る表示装置の制御方法を実現することができる。
【発明を実施するための最良の形態】
【００３２】
以下、本発明の一実施形態に係る表示装置、電子機器、表示装置の制御方法およびそのプログラムについて、添付図面を参照しながら詳細に説明する。本実施形態では、本発明の表示装置等を、楽曲検索機能を有する携帯オーディオ装置に適用した場合を例示する。図１は、携帯オーディオ装置１の簡易ブロック図である。同図に示すように、携帯オーディオ装置１は、ユーザが各種操作を行うための操作手段１０と、各種情報を表示する表示手段２０と、当該表示手段２０の表示制御を行う表示制御手段３０と、を主要構成要素としている。
【００３３】
操作手段１０は、ユーザが選択肢Ｃ（図２参照）の選択操作や、スクロール表示の前進および後退を含むスクロール操作を行うためのものである。本実施形態では、操作手段１０として感圧タイプのトラックホイール１５（図２参照）を採用しているが、その他のポインティングデバイス（トラックパッド、ジョイスティックおよびマウスなど）を採用しても良い。
【００３４】
表示手段２０は、ＬＣＤなど一般的なディスプレイ２１（図２参照）を採用可能であり、スクロール表示により複数の選択肢Ｃを表示可能となっている。選択肢の一例としては、楽曲名やアーティスト名等が挙げられる。
【００３５】
表示制御手段３０は、操作手段１０の操作タイミングや操作方向等に応じて発生する操作信号に基づいて、各種表示制御を行うためのコントロール信号を生成し、これを表示手段２０に出力する。具体的には、操作手段１０の操作結果に基づいて、その時点で選択対象となっている対象選択肢４１を反転表示したり、当該対象選択肢４１の一部の文字を強調して表示したりなどの表示制御を行う。
【００３６】
なお、携帯オーディオ装置１は、これら操作手段１０、表示手段２０および表示制御手段３０以外にも、制御プログラムやユーザによって書き込まれたデータ（楽曲リストなどの表示データも含む）を記憶する記憶手段、楽曲の再生を制御する再生制御手段、イヤホンを含む外部装置とデータの入出力を行うためのインターフェースなどを備えているが（いずれも図示省略）、詳細な説明は省略する。
【００３７】
次に、図２を参照し、操作手段１０および表示手段２０の一例を説明する。同図は、携帯オーディオ装置１の正面図である。携帯オーディオ装置１は、装置ケース（筺体本体）５の上半部に表示手段２０として機能するディスプレイ２１を備えると共に、下半部に操作手段１０として機能するトラックホイール１５を備えている。
【００３８】
ディスプレイ２１には、複数の選択肢Ｃが縦方向に列記されており、反転表示部は、その時点において選択対象となっている対象選択肢４１を示している。また、各選択肢Ｃは、１以上の文字（記号や数字等を含むキャラクタ）によって表現されており、所定の法則（図示の例では、アルファベット順）にしたがって並んでいる。なお、選択肢Ｃにアルファベット以外の文字が含まれる場合は、特殊文字→数字→アルファベット→仮名文字→漢字の順で、並べられる。
【００３９】
なお、同図は、スクロール表示中におけるディスプレイ表示の一例を示したものであるが、対象選択肢４１は、スクロール表示中において、その先頭から１ないし数文字に相当する文字（図示の例の場合、先頭から２文字に相当する「ＧＥ」）が吹き出し形式で大文字に変換されると共に拡大表示される。以下、このように対象選択肢４１の先頭文字を抽出して強調する表示を、「抽出文字の強調表示５１」と称する。また、これに対し、対象選択肢４１の先頭文字を強調しない表示（対象選択肢４１に含まれる文字を全て同じ態様で示す表示）を、「抽出文字の通常表示５２」と称する。
【００４０】
すなわち、表示制御手段３０は、スクロール表示中において、抽出文字を通常表示５２した状態で対象選択肢４１全体を反転表示し、さらに当該対象選択肢４１の表示領域に重畳して、抽出文字を強調表示５１する。これにより、ユーザは視点を動かすことなく選択行を視認するだけで、対象選択肢４１の先頭文字を容易に認識することができ、現在どのあたりを検索しているのかを容易に把握することができる。また、対象選択肢の抽出文字を、他の文字と同様の態様で通常表示５２した状態で、さらに強調表示５１も行うことにより、抽出文字と他の文字とのバランスを保持して視認性を良好に保ちつつ、選択操作に必要となる抽出文字を明確に示すことができる。
【００４１】
また、表示制御手段３０は、操作手段１０によるスクロール操作の停止時または当該停止時から所定時間後（０．５秒ないし数秒の継続表示の後）に、強調表示５１を終了する。つまり、スクロール操作の停止時、すなわち検索中止時または終了時においては、強調表示の必要がなくなるため（画面がスクロールしていない状況では対象選択肢４１の認識が容易であるため）、強調表示５１を自動終了することで、他の操作の妨げになったり、ディスプレイ２１全体の視認性を損ねたりすることがない。なお、この場合、強調表示５１の終了は、フェードアウトさせる（ある程度の時間をかけて徐々に薄くさせる）ことが好ましい。このフェードアウト機能により、ユーザに対してユーザフレンドリーな装置であるという印象を与えることができる。
【００４２】
一方、トラックホイール１５は、感圧パッド部分１７を指でなぞる方向に応じて、前進スクロールまたは後退スクロールを操作できるようになっている。図示の例の場合、右回転方向になぞることで前進スクロール（対象選択肢４１の下方向へのインクリメント）を指示し、左回転方向になぞることで後退スクロール（対象選択肢４１の上方向へのインクリメント）を指示可能である。さらに、トラックホイール１５の中央部分１８は、押圧可能となっており、押圧によって対象選択肢４１を選択（選択対象として決定）することができる。つまり、対象選択肢４１とは、その時点において、操作手段１０による選択操作の対象となっている選択肢を指すものである。
【００４３】
次に、図３ないし図５を参照し、強調表示５１の他の表示例について説明する。図３（ａ）は、図２の例に対し、強調表示５１の位置を変えたものである。同図に示すように、強調表示５１を対象選択肢４１の表示領域に重畳するのではなく、他の選択肢Ｃの表示領域上に表示するようにしても良い。この構成によれば、ユーザは対象選択肢４１全体の内容を把握した上で所望の選択肢を選択することができる。なお、強調表示５１の位置は、固定的でなく、操作内容や対象選択肢４１の表示位置等によって可変するようにしても良い。例えば、前進スクロールしているときは対象選択肢４１の上側に強調表示５１し、後退スクロールしているときは対象選択肢４１の下側に強調表示５１するようにしても良い。また、対象選択肢４１が、ディスプレイ２１に表示されている選択肢Ｃの最下行に相当する場合、スクロール方向に関わらず、対象選択肢４１の上側に強調表示５１するようにしても良い。
【００４４】
また、同図（ｂ）は、図２の例に対し、強調表示５１の表示態様を変えたものである。同図の例では、強調表示５１を吹き出し形式ではなくインデックス形式でディスプレイ２１の上部に配置している。このように、インデックス形式で強調表示５１することにより、対象選択肢４１だけでなく他の選択肢Ｃの視認性も強調表示５１によって損なわれることがないため、見栄えが良い。
【００４５】
また、図４（ａ）は、各選択肢Ｃの先頭文字表示を、抽出文字（「ＧＥ」の２文字）分だけ省略したものである。同図の例では、強調表示５１をディスプレイ２１の左側上部に配置し、当該強調表示５１で各選択肢Ｃの先頭２文字を代用している。この構成によれば、行方向における表示文字数を削減できるため、各選択肢Ｃの文字を見易く表示することができる。
【００４６】
また、同図（ｂ）は、強調表示５１する抽出文字の文字数を選択肢Ｃに応じて可変するように構成したものである。同図の例では、３行目の選択肢Ｃについては、先頭に位置する単語が「Ｇｅｔ」であるため、当該選択肢Ｃが対象選択肢４１となっているときは、先頭３文字を抽出して強調表示５１する。また、４行目の選択肢Ｃについては、先頭に位置する単語が「Ｇｉｖｅ」であるため、当該選択肢Ｃが対象選択肢４１となったときは、先頭４文字を抽出して強調表示５１する。このように、選択肢Ｃの先頭単語を抽出文字とすることで、ユーザは先頭の単語を認識することができるため、意味のない先頭文字が１ないし数文字抽出される場合よりも、的確に現在の選択位置を捉えることができる。なお、先頭単語全てを抽出文字とするのではなく、最大５文字までと制限を設けたり、先頭単語が同じである対象選択肢４１が続く場合は、２つ目の単語を抽出文字とするなどの設計変更も可能である。
【００４７】
また、図５（ａ）に示すように、強調表示５１の一態様として、対象選択肢４１の他の文字とは異なる文字色に抽出文字の文字色を変化させても良い。また、この場合、１文字目と２文字目の色を異なる色としても良い。
【００４８】
また、同図（ｂ）に示すように、強調表示５１の一態様として、文字装飾を施すようにしても良い。図示の例は、文字囲みであるが、この他、下線、変形文字、フォントの変更などを行っても良い。また、抽出文字全体に文字装飾を施すのではなく、図示の例のように２文字目だけに文字装飾を施すといった設計変更も可能である。
【００４９】
また、同図（ｃ）に示すように、強調表示５１の一態様として、強調表示５１を通常表示５２（図２参照）に重畳して表示しても良い。すなわち、対象選択肢４１の抽出文字（「Ｇｅ」）を拡大表示して強調表示５１し、通常表示５２を省略しても良い。また、同図の例のように、強調表示５１は必ずしも大文字に変換する必要はない。
【００５０】
また、同図（ｄ）に示すように、強調表示５１の一態様として、抽出文字を反転表示することで強調表示５１を行うようにしても良い。図示の例では、対象選択肢４１を示す反転表示を行わない場合を示しているが、対象選択肢４１全体を反転表示し、抽出文字だけを白黒反転させるようにしても良い。
【００５１】
以上幾つかの例を示したとおり、強調表示５１の表示態様としては、種々のものを採用可能である。また、図２の例に図５（ａ）の例を組み合わせて、表示色を変えた抽出文字を拡大して吹き出し表示するなど、複数の表示態様を組み合わせたものを採用しても良い。
【００５２】
また、携帯オーディオ装置１に、強調表示５１の表示態様を、複数の候補の中から選択する表示態様選択手段を備え、表示制御手段３０は、表示態様選択手段により選択された表示態様で、抽出文字を強調表示するようにしても良い。この構成によれば、ユーザの好みに応じて強調表示５１の表示態様を選択することができる。
【００５３】
また、携帯オーディオ装置１に、強調表示５１を行うか否かを設定する表示設定手段を備え、表示制御手段３０は、表示設定手段により強調表示を行うと設定された場合のみ、抽出文字を強調表示するようにしても良い。この構成によれば、抽出文字の強調を好まないユーザにとって、好都合である。
【００５４】
以上説明したとおり、本実施形態によれば、スクロール表示中において、対象選択肢４１の一部の抽出文字を強調表示するため、高速検索を実現しつつも、対象選択肢４１をユーザが確実に認識することができる。また、これに伴って、目的の選択肢を見落とす可能性が低くなるため、検索操作時における操作性の向上が期待できる。
【００５５】
また、抽出文字として、対象選択肢４１の先頭から１ないし数文字を抽出するため、複数の選択肢Ｃがアルファベット順やあいうえお順に羅列されている場合に、現在の検索位置をユーザが容易に認識することができる。また、対象選択肢４１を、他の選択肢Ｃとは異なる態様で表示（例えば反転表示）するため、スクロール表示されている多数の選択肢Ｃの中から、対象選択肢４１をユーザに対して明確に示すことができる。
【００５６】
なお、上記の例では、対象選択肢４１の先頭から１ないし数文字を抽出して強調表示５１するものとしたが、必ずしも先頭文字でなくても良い。例えば、現在スクロールしている先頭文字が「Ｇ」で続いており、２番目の文字だけがａ→ｂと変化しているような場合、２文字目だけを強調表示させるようにしても良い。
【００５７】
また、上記の例では、スクロール表示により目的の選択肢Ｃを検索する場合を例示したが、必ずしも選択肢Ｃがスクロール表示されている必要はなく、多数の選択肢Ｃが羅列されており、それらの中から対象選択肢４１を示す反転表示部をカーソル移動させて検索する場合にも、本発明を適用可能である。
【００５８】
また、抽出文字の文字数、先頭文字を抽出するか変化している２番目以降の文字を抽出するかなど、強調表示５１に関する種々の事項をユーザの好みに応じてカスタマイズできるように設定手段を携帯オーディオ装置１に設けても良い。なお、当該設定手段を実現するためのプログラムは、携帯オーディオ装置１内部に組み込んで操作手段１０の操作によって設定できるようにしても良いし、コンピュータ等の外部装置に組み込んで、外部装置から設定できるようにしても良い。
【００５９】
また、本発明を適用した装置の一例として携帯オーディオ装置１を挙げたが、多数の選択肢の中から目的の選択肢の検索が必要な装置であれば、選択肢の内容や装置形態を問わず、種々の電子機器（例えば、操作リモコン、カーオーディオ装置、カーナビ装置、携帯電話など）に本発明を適用可能である。
【００６０】
また、上記の例に示した携帯オーディオ装置１における各部および各機能をプログラムとして提供することも可能である。また、そのプログラムを各種記録媒体（ＣＤ−ＲＯＭ、フラッシュメモリ等）に格納して提供することも可能である。すなわち、本実施形態における携帯オーディオ装置１の各構成要素（各機能）をプログラム化したもの、およびそれを記録した記録媒体も、本発明の権利範囲に含まれるものである。
【００６１】
その他、上記の実施形態によらず、携帯オーディオ装置１の装置構成や処理工程について、本発明を逸脱しない範囲で適宜変更が可能である。
【図面の簡単な説明】
【００６２】
【図１】本発明の一実施形態に係る携帯オーディオ装置の簡易ブロック図である。
【図２】携帯オーディオ装置の正面図である。
【図３】強調表示の他の表示例を示す図である。
【図４】図３とは異なる、強調表示の他の表示例を示す図である。
【図５】図３および図４とは異なる、強調表示の他の表示例を示す図である。
【符号の説明】
【００６３】
１：携帯オーディオ装置，１０：操作手段，１５：トラックホイール，２０：表示手段，２１：ディスプレイ，３０：表示制御手段，４１：対象選択肢，５１：強調表示，５２：通常表示，Ｃ：選択肢
【図１】
2008176035.tif 000003
【図２】
2008176035.tif 000004
【図３】
2008176035.tif 000005
【図４】
2008176035.tif 000006
【図５】
2008176035.tif 000007